(57)【要約】【課題】ワイヤハーネスの搬送時や接続作業時にコネクタ接続部に大きな負荷がかかりワイヤハーネスの電線端末に接続してコネクタ内に収容した端子が位置ズレするのを防止する。【解決手段】コネクタハウジングの端子収容室内に端子を挿入係止した電線群が、端子収容室より引き出された後に屈曲されて横出しされ、該横出しされた電線群にＬ形状のゴム製のコネクタブーツを被せて引出方向を規制しているワイヤハーネスのコネクタ接続部に用いる補強カバーであって、前記コネクタブーツに着脱自在に外嵌する樹脂成形品からなり、前記コネクタハウジング内の端子を相手方端子と接続させるまでは前記コネクタブーツに外嵌して前記電線群およびこれら電線群の端末の端子のねじれ発生を防止すると共に、端子接続後は取り外すものである。【選択図】図１
2007280649.tif 000002
【特許請求の範囲】
【請求項１】
コネクタハウジングの端子収容室内に端子を挿入係止した電線群が、端子収容室より引き出された後に屈曲されて横出しされ、該横出しされた電線群にＬ形状のゴム製のコネクタブーツを被せて引出方向を規制しているワイヤハーネスのコネクタ接続部に用いる補強カバーであって、
前記コネクタブーツに着脱自在に外嵌する樹脂成形品からなり、
前記コネクタハウジング内の端子を相手方端子と接続させるまでは前記コネクタブーツに外嵌して前記電線群およびこれら電線群の端末の端子のねじれ発生を防止すると共に、端子接続後は取り外すものであることを特徴とするコネクタ接続部の補強カバー。
【請求項２】
前記Ｌ形状のコネクタブーツと同形のＬ形状の外形を備えた筒状とし、Ｌ形状の一端開口の周縁に前記コネクタハウジング側に固定するための係止部を設けていると共に、該一端開口から他端開口へと連続する着脱用スリットを設け、かつ、横出しされた電線側に被せる部分の外周面に巻付布を取り付け、該巻付布の両端に雌雄面ファスナーを設けて前記スリットを開閉可能とし、
前記他端開口は前記ワイヤハーネスに外装されるプロテクタとの接合位置まで延在させるものとしている請求項１に記載のコネクタ接続部の補強カバー。
【請求項３】
前記コネクタハウジング内に挿入係止される端子は通電量が１００〜１２０アンペアの大電流用の端子である請求項１または請求項２に記載のコネクタ接続部の補強カバー。
【発明の詳細な説明】
【技術分野】
【０００１】
本発明は、コネクタ接続部の補強カバーに関し、詳しくは、コネクタとの接続部より横出しされる高剛性の電線群からなるワイヤハーネスに、搬送時やコネクタ接続時にネジレが発生するのを防止して、相手方端子と正確に嵌合接触させて電気接続信頼性を高めるものである。
【背景技術】
【０００２】
従来、特開２００６−８１３７３号公報（特許文献１）に開示されているように、自動車に搭載したインバータとモータとは、ワイヤハーネスを介して接続されている。
具体的には、図６に示すように、該ワイヤハーネスＷ／Ｈの一端に接続したコネクタ１をインバータ（図示せず）に付設する機器２のコネクタ収容部３に嵌合接続し、ワイヤハーネスＷ／Ｈの電線端末に接続しコネクタ１内に収容した端子３をコネクタ収容部４内に収容した相手方端子（図示せず）と接続し、機器２に設けたバスバー５を介してワイヤハーネスＷ／Ｈをインバータと接続している。
【０００３】
しかしながら、前記ワイヤハーネスＷ／Ｈの電線群はコネクタ１から引き出された後に横出しされているため、ワイヤハーネスＷ／Ｈの搬送時やコネクタ接続作業時に電線群の引き出し部に負荷がかかると電線がねじれ、図７に示すように、電線群の端末に接続した端子３Ａが軸線に対して周方向にねじれてしまい、相手方端子と接触不良を起こすおそれがある。
特に、１００〜１２０アンペアの電流を通電するような大電流用のワイヤハーネスの場合には、電線が太物電線となり剛性が高いため、電線にねじれが生じると電線端末の端子へねじれが伝わり、ねじれた位置の端子と相手方端子とを嵌合接続すると、前記のように接触不良が発生しやすい。
【０００４】
【特許文献１】特開２００６−８１３７３号公報
【発明の開示】
【発明が解決しようとする課題】
【０００５】
本発明は前記問題に鑑みてなされたものであり、ワイヤハーネスの搬送時や接続作業時にコネクタ接続部に大きな負荷がかかってワイヤハーネスの電線にねじれが発生しないようにして、電線端末の端子がコネクタ内でねじれて位置ズレするのを防止することを課題としている。
【課題を解決するための手段】
【０００６】
前記課題を解決するため、本発明は、コネクタハウジングの端子収容室内に端子を挿入係止した電線群が、端子収容室より引き出された後に屈曲されて横出しされ、該横出しされた電線群にＬ形状のゴム製のコネクタブーツを被せて引出方向を規制しているワイヤハーネスのコネクタ接続部に用いる補強カバーであって、
前記コネクタブーツに着脱自在に外嵌する樹脂成形品からなり、
前記コネクタハウジング内の端子を相手方端子と接続させるまでは前記コネクタブーツに外嵌して前記電線群およびこれら電線群の端末の端子のねじれ発生を防止すると共に、端子接続後は取り外すものであることを特徴とするコネクタ接続部の補強カバーを提供している。
【０００７】
前記構成によれば、コネクタから横出しした電線群の引き出し位置近傍に樹脂成形品からなる補強カバーを被せると、ワイヤハーネスの搬送時やコネクタ接続作業時において、コネクタからの引き出し位置近傍の電線群に負荷がかからない。これにより、電線群の端末に接続した端子のねじれ発生を防止することができ、相手方端子との接触不良が生じるおそれもない。
また、前記補強カバーはコネクタを接続した後にワイヤハーネスから取り外す構成として再利用できるようにしているため、補強カバーを設けたことによる大幅なコストアップを防止することができる。
さらに、相手方端子と正規位置で嵌合接続させると共に、ワイヤハーネスの配索後は補強カバーを取り付けておく必要もなく、かつ、再利用することが好ましいために補強カバーを取り外している。
【０００８】
詳細には、前記Ｌ形状のコネクタブーツと同形のＬ形状の外形を備えた筒状とし、Ｌ形状の一端開口の周縁に前記コネクタハウジング側に固定するための係止部を設けていると共に、該一端開口から他端開口へと連続する着脱用スリットを設け、かつ、横出しされた電線側に被せる部分の外周面に巻付布を取り付け、該巻付布の両端に雌雄面ファスナーを設けて前記スリットを開閉可能とし、
前記他端開口は前記ワイヤハーネスに外装されるプロテクタとの接合位置まで延在させるものとしている。
【０００９】
前記構成によれば、前記補強カバーを横出しされた電線群に被せたＬ形状のコネクタブーツを同形としているため、電線群を所期の横出し形状に矯正保持することができる。
また、補強カバーにスリットを設けて、該スリットを通して電線群を補強カバー内に収容しているため、補強カバーの取り付けを容易にすることができる。
さらに、補強カバーの一端を係止部によりコネクタハウジング側に固定すると共に、他端を雌雄面ファスナーを巻き付けてスリットを閉じることにより、補強カバーがワイヤハーネスの搬送時やコネクタ接続作業中に脱落するのを防止することができる。
さらにまた、ワイヤハーネスから補強カバーを取り外す際には、雌雄面ファスナーを取り外し、開いたスリットを通してワイヤハーネスを補強カバーの外部へ引き出せばよく、補強カバーの取り外しを効率良く行うことができる。
【００１０】
前記コネクタハウジング内に挿入係止される端子は通電量が１００〜１２０アンペアの大電流用の端子である場合（さらに、瞬間的には最大３６０アンペア／２秒で通電されるものである場合）、本発明の補強カバーが好適に用いられる。
前記のように大電流を通電させる場合には、ワイヤハーネスの電線が太物電線で剛性が高くなるため、コネクタ近傍の横出しされた電線に負荷が作用してねじれが生じると、電線端末の端子にも直接的に伝わって端子がねじれやすくなる。しかしながら、本発明の補強カバーを用いることにより、電線にねじれが発生しないように保持しているため、端子にねじれるのを確実に防止することができる。
【発明の効果】
【００１１】
前述したように、本発明によれば、コネクタから横出しした電線群の引き出し位置近傍コネクタ接続部）に樹脂成形品からなる補強カバーを被せると、ワイヤハーネスの搬送時やコネクタ接続作業時において、コネクタからの引き出し位置近傍の電線群に負荷がかからない。これにより、電線群の端末に接続した端子のねじれ発生を防止することができ、相手方端子との接触不良が生じるおそれもない。
また、前記補強カバーはコネクタを接続した後にワイヤハーネスから取り外す構成として再利用できるようにしているため、補強カバーを設けたことによる大幅なコストアップを防止することができる。
【発明を実施するための最良の形態】
【００１２】
本発明の実施形態を図面を参照して説明する。
図１乃至図５は、本発明の実施形態を示し、補強カバー１０は、自動車に搭載されるインバータとモータとを接続するワイヤハーネスＷ／Ｈのコネクタからの引き出し位置近傍であるコネクタ接続部に被せ、ワイヤハーネスＷ／Ｈが接続されるまでの間、電線に負荷がかかってねじれが生じるのを防止するものである。
【００１３】
前記補強カバー１０はナイロンからなり、図２に示すように、後述するワイヤハーネスＷ／Ｈに被せたコネクタブーツ２４と同形のＬ形状の外形を備えた剛性を有する筒状としており、Ｌ形状の屈曲部は電線群の屈曲形状に沿う曲面としている。補強カバー１０の一端開口１１を長円形状とし、該開口１１の周縁に開口１１よりも大径とした係止部１２を設け、該係止部１２に囲まれた領域内で、かつ、開口１１の両側に位置決め用の突起１３を設けている。一方、他端開口１４はワイヤハーネスＷ／Ｈに外装されるプロテクタ２５との接合位置まで延在させている。
また、Ｌ形状に屈曲する補強カバー１０の内周側には、一端開口１１から他端開口１４へと連続する着脱用スリット１５（以下、スリット１５と称す）を設けている。さらに、補強カバー１０の他端側の外周面に、両端に雌雄面ファスナーを設けた巻付布１６を取り付けており、スリット１５を開閉可能としている。
【００１４】
前記補強カバー１０が被せられるワイヤハーネスＷ／Ｈは、１００〜１２０アンペアの大電流が通電される１５ｓｑの電線ｗを３本束ねた電線群からなる。これら電線ｗの端末に通電量が１００〜１２０アンペアの大電流用のタブ状の端子２６を圧着し、該端子２６をコネクタ２０のハウジングの端子収容室（図示せず）に挿入係止して、図４に示すように、ワイヤハーネスＷ／Ｈにコネクタ２０を接続している。コネクタ２０には、該コネクタ２０をインバータ３０のケースに固定するための固定材２１を外嵌させて取り付けており、該固定材２１のフランジ２２にはボルト孔２３を設けている。また、前記電線群はコネクタ２０の端子収容室より引き出された後に屈曲されて横出しされ、該横出しされた電線群にＬ形状のシリコンからなるコネクタブーツ２４を被せて引出方向を規制している。コネクタブーツ２４のインバータ側の一端は固定材２１の上部に被せるように取り付ける一方、モータ側の他端は所要の長さまで延在させており、コネクタブーツ２４の他端には、樹脂成形品からなるプロテクタ２５を外装しており、該プロテクタ２５はさらにモータ側へ延在している。
【００１５】
前記補強カバー１０のスリット１５を開いた状態で、該スリット１５を通して前記ワイヤハーネスＷ／Ｈを補強カバー１０内に挿入し、補強カバー１０の一端開口１１側に設けた係止部１２をコネクタ２０に取り付けた固定材２１に外嵌固定する。このとき、補強カバー１０の突起１３が固定材２１のボルト孔２３に挿入されて、補強カバー１０の一端がコネクタ２０に位置決め固定される。また、補強カバー１０の他端側では、巻付布１６を強く巻き付けてスリット１５を閉鎖し、雌雄面ファスナーにより巻付布１６を巻き付け状態で固定する。このとき、補強カバー１０の他端はワイヤハーネスＷ／Ｈに外装したプロテクタ２５に近接する位置まで延在している。
【００１６】
なお、図１及び図４では、１つのワイヤハーネスＷ／Ｈのみを図示しているが、２つのワイヤハーネスＷ／Ｈを束ねて、これらワイヤハーネスＷ／Ｈに１つのプロテクタ２５を外装している。よって、２つのワイヤハーネスＷ／Ｈは、図５に示すように、コネクタ２０からプロテクタ２５までの距離が異なるため、補強カバー１０も長さの異なったものを使用している。本実施形態では、２種類の補強カバー１０を用いているが、ワイヤハーネスＷ／Ｈの数に応じて３種類以上の補強カバーを用いてもよい。
【００１７】
前記ワイヤハーネスＷ／Ｈが接続されるインバータ３０は、図５に示すように、金属製のケースの一側壁に２つのコネクタ収容部３１を並設しており、コネクタ収容部３１内には、前記コネクタ２０内の端子２６と接続される相手方端子である雌端子（図示せず）を収容している。また、コネクタ収容部３１のコネクタ挿入口の周縁には、接続されるコネクタ２０を固定するためのボルト孔（図示せず）を設けている。
【００１８】
前記のように、ワイヤハーネスＷ／Ｈは補強カバー１０を外嵌した状態で車両の組立ラインまで搬送される。該組立ラインでは、図５に示すように、インバータ３０に並設した２つのコネクタ収容部３１にコネクタ２０それぞれ嵌合接続し、該コネクタ収容部３１内に設けた端子にワイヤハーネスＷ／Ｈの電線群端末に接続した端子２６を接続して、ワイヤハーネスＷ／Ｈをインバータに接続している。
そして、前記コネクタ接続の後、巻付布１６の巻き付けを解いてスリット１５を開き、該スリット１５を通してワイヤハーネスＷ／Ｈを補強カバー１０の外部へ引き出して、補強カバー１０をワイヤハーネスＷ／Ｈから取り外している。
ワイヤハーネスＷ／Ｈから補強カバー１０を取り外した後、コネクタ２０に取り付けた固定材２１をコネクタ収容部３１にボルト締め固定している。
【００１９】
前記構成によれば、コネクタ２０から横出しした電線群の引き出し位置近傍に剛性を有する補強カバー１０を被せているため、ワイヤハーネスＷ／Ｈの搬送時やコネクタ接続作業時において、コネクタ２０からの引き出し位置近傍の電線群に負荷がかからない。これにより、電線群の端末に接続した端子２６のねじれ発生を防止することができ、相手方端子との接触不良が生じるおそれもない。
また、前記補強カバー１０はコネクタ２０を接続した後にワイヤハーネスＷ／Ｈから取り外す構成として再利用できるようにしているため、補強カバー１０を設けたことによる大幅なコストアップを防止することができる。
【図面の簡単な説明】
【００２０】
【図１】ワイヤハーネスのコネクタ接続部に補強カバーを取り付けた状態を示す図面である。
【図２】補強カバーの斜視図である。
【図３】補強カバーを示し、（Ａ）は正面図、（Ｂ）は底面図である。
【図４】ワイヤハーネスの斜視図である。
【図５】インバータに補強カバーを被せたワイヤハーネスを取り付けた状態を示し、（Ａ）は正面図、（Ｂ）は平面図である。
【図６】従来例を示す図面である。
【図７】従来例の問題点を示す図面である。
【符号の説明】
【００２１】
１０  補強カバー
１１  一端開口
１２  係止部
１４  他端開口
１５  スリット
１６  巻付布
２０  コネクタ
２４  コネクタブーツ
２５  プロテクタ
２６  端子
３０  インバータ
ｗ  電線
Ｗ／Ｈ  ワイヤハーネス
【図１】
2007280649.tif 000003
【図２】
2007280649.tif 000004
【図３】
2007280649.tif 000005
【図４】
2007280649.tif 000006
【図５】
2007280649.tif 000007
【図６】
2007280649.tif 000008
【図７】
2007280649.tif 000009